(57)【特許請求の範囲】
【請求項１】
側板の先端部から内側に延びる固定支持軸と、
該固定支持軸に回動自在に取り付けられトイレットペーパの芯管の内径より小の最大径を有する回転体と、
該回転体に取り付けられ、該芯管の内周面を弾性力により常時圧接する弾性部材と、を備え、
該弾性部材は、上端面が該芯管の内周面に当接する長手方向に所定の長さに延びる板状部と、該板状部の下端から下方に湾曲状に延びる脚部とを有するバネ部材であって、該芯管の内周面をバネ付勢により常時圧接するものであり、
該回転体と該バネ部材は、別部材であって、該回転体には長手方向に延びる嵌合溝が周方向に等ピッチで複数形成されており、該嵌合溝に該嵌合溝幅より小の厚みを有するバネ部材が嵌ることを特徴とするトイレットペーパホルダー。
【発明の詳細な説明】
【技術分野】
【０００１】
本発明は、トイレットペーパを巻き出しする際、その芯管の回転音や巻き出し操作時における異音の発生を抑制できるようにしたトイレットペーパホルダーに関する。
【背景技術】
【０００２】
マンションやアパートなどの集合住宅では、トイレ使用時、トイレットペーパを巻き出しする際、トイレットペーパの芯管の回転音や巻き出し操作時における異音が壁伝いで隣人の耳に届く場合がある。このため、このような異音の発生を抑制した所謂消音トイレットペーパホルダーの開発が望まれている。
【０００３】
従前のトイレットペーパホルダーは、芯管の内径に比べて、支軸の径が細いためペーパーを巻きとる際、回転軸が偏芯してペーパー自体が上下にバウンドし、これが種々の音鳴りの原因となっている。
【０００４】
消音トイレットペーパホルダーとしては、相対する一対の側板間にペーパー押えを回動可能に枢着するとともに、トイレットペーパの芯管を支持する支軸を側板の内側に突設したトイレットペーパホルダーにおいて、一端にカッター部を備えたペーパーカッターをペーパー押えと同動可能に設け、上記カッター部をペーパー押えの端縁から外側に離間して配置し、かつ前記支軸を側板に対し斜状に配設したトイレットペーパホルダーが開示されている（実開平５−２１７９５号公報）。実開平５−２１７９５号公報記載のトイレットペーパホルダーによれば、芯管を点接触状態で支持するようにしたため、支軸に対する接触スペースを最小に抑えられ、変形した芯管の支持にも使用できるとともに、芯管の回転音や巻き出し操作時における異音の発生を抑制できるというものである。
【先行技術文献】
【特許文献】
【０００５】
【特許文献１】実開平５−２１７９５号公報（請求項１）
【発明の概要】
【発明が解決しようとする課題】
【０００６】
しかしながら、従来のトイレットペーパホルダーの消音対策では未だ十分とはいえず、更に消音効果の高い、新たな消音構造のトイレットペーパホルダーの開発が望まれていた。
【０００７】
すなわち、本発明の目的は、トイレットペーパを巻き出しする際、その芯管の回転音や巻き出し操作時における異音の発生を抑制できるようにしたトイレットペーパホルダーを提供することにある。
【０００８】
かかる実情において、本発明者は鋭意検討を行った結果、ペーパの芯管の内周面をバネ付勢等の弾性力により常時圧接する構造とすれば、トイレットペーパを巻き出しする際、その芯管の回転音や巻き出し操作時における異音の発生を抑制できることを見出し、本発明を完成するに至った。
【０００９】
すなわち、本発明は、側板の先端部から内側に延びる固定支持軸と、該固定支持軸に回動自在に取り付けられトイレットペーパの芯管の内径より小の最大径を有する回転体と、該回転体に取り付けられ、該芯管の内周面を弾性力により常時圧接する弾性部材と、を備え、該弾性部材は、上端面が該芯管の内周面に当接する長手方向に所定の長さに延びる板状部と、該板状部の下端から下方に湾曲状に延びる脚部とを有するバネ部材であって、該芯管の内周面をバネ付勢により常時圧接するものであり、該回転体と該バネ部材は、別部材であって、該回転体には長手方向に延びる嵌合溝が周方向に等ピッチで複数形成されており、該嵌合溝に該嵌合溝幅より小の厚みを有するバネ部材が嵌ることを特徴とするトイレットペーパホルダーを提供するものである。
【発明の効果】
【００１０】
本発明によれば、ペーパの芯管の内周面をバネ付勢等の弾性力により常時圧接する弾性部材を回転体に取り付けるため、ペーパの芯管のサイズが多少異なっていても、ペーパの回転軸は安定する。従って、トイレットペーパを巻き出しする際、その芯管の回転音や巻き出し操作時における異音の発生を抑制できる。
【図面の簡単な説明】
【００１１】
【図１】本発明の実施の形態におけるトイレットペーパホルダーの斜視図。
【図２】図１のトイレットペーパホルダーにペーパが付設された斜視図。
【図３】図１のトイレットペーパホルダーにおける縦断面図。
【図４】バネ部材が撓んだ状態のトイレットペーパホルダーにおける縦断面図。
【図５】図１のトイレットペーパホルダーの部分図で且つ一部を破断した斜視図。
【図６】固定支持軸とキャップ部材との係合関係を説明する図。
【図７】図１のトイレットペーパホルダーの部分図で且つ一部を破断した他の斜視図。
【図８】図７において破断する場所が異なる斜視図。
【図９】キャップ部材を外した状態で側板側から見た側面図。
【図１０】キャップ部材を外した状態で側板側から見たバネ部材が撓んだ状態の側面図。
【図１１】キャップ部材を外した状態で反側板側から見た側面図。
【図１２】キャップ部材を外した状態で反側板側から見たバネ部材が撓んだ状態の側面図。
【図１３】回転体とペーパの嵌合関係を示す簡略図。
【発明を実施するための形態】
【００１２】
次に、本発明の実施の形態におけるトイレットペーパホルダー（以下、単に「ペーパホルダー」とも言う。）を図１〜図１３を参照して説明する。本明細書中、正面とは使用側から壁面を見る方向を言う。なお、図５及び図８は内部構造が判るよう外筒のほとんどが省略されている。図７は嵌合溝内のバネ部材が判るよう固定支持軸を含めた周方向における１/４パーツが省略されている。図５、７および図８〜図１２は、簡略図面であって、回転体と固定支持軸を主に描いたものである。ペーパホルダー１０は、壁面に固設される基台６に回動自在に取り付けられるペーパカッター用のカッター部材５と、側板１１の先端部から内側に延びる固定支持軸２と、固定支持軸２に回動自在に取り付けられトイレットペーパ９の芯管９１の内径より小の最大径を有する回転体３と、回転体３に取り付けられ、芯管９１の内周面をバネ付勢（弾性力）により常時圧接するバネ部材（弾性部材）４と、を備える。本発明において、弾性力とは、力を加えられて変形している物体が、反作用として他に及ぼす力を言う。例えばバネ部材の場合、反作用として他に及ぼす力が、バネによる付勢力となり、ゴム部材の場合、反作用として他に及ぼす力が、ゴムによる反発力となる。以下、弾性部材が板バネ部材の場合について説明する。
【００１３】
ペーパホルダー１０において、基台６は、壁面当接面６１と、Ｌ字形状の支持本体部１が取り付けられる取り付け面６２と、カッター部材５を取り付ける軸孔６３を備える。壁面当接面６１と壁面間に不図示の防振材を介在させると、ペーパの巻き出し操作時における僅かな異音の発生を防止することができる。防振材としては、公知のゴム材などが使用できる。
【００１４】
カッター部材５は、基台６の軸孔６３に軸支される軸７の両端取付部に螺子止めされる。なお、軸孔６３の内周面又は軸７の外周面のいずれか一方又は両方に低摩擦材である樹脂材を使用すれば、回動摩擦が低減でき、カッター部材５の回動による異音の発生を防止できる。また、カッター部材５が軸７に螺子止めされることで、ペーパの巻き出し操作時およびペーパ切断時におけるガタつきを防止できる。
【００１５】
Ｌ字形状の支持本体部１は、基台６の取り付け面６２に螺子止めされる略板状部材の基部１２と基部１２の左端から前方へ延びる側板１１とからなる。Ｌ字形状の支持本体部１を使用することで、基台６への設置が簡単でガタつきのないものとなり、且つ新品ペーパの取り付けが容易となる。側板１１の先端部には、固定支持軸２の端部に付設された埋めボルトを螺子止めするための螺子孔１１２が形成されている。
【００１６】
固定支持軸２は丸棒部材であり、側板１１側（取り付け側）の端面には、端面から外側に突出する埋め込みボルト２９が形成され、側板１１と固定支持軸２の螺子止めを可能にしている。また、固定支持軸２の両端近傍には、１条の周溝２１がそれぞれ形成されている。周溝２１は、回転体３の両端部に嵌合するキャップ部材８ａ、８ｂに形成される突条片８６が係合するものであり、ペーパの巻き出しによる摩擦を極力低減すると共に、安定な回転を保持するようにしている。すなわち、固定支持軸２と回転体３との接触は、この周溝２１と突条片８６との係止のみである。
【００１７】
回転体３は、固定支持軸２に回動自在に取り付けられると共に、バネ部材４を取り付ける機能を有する。回転体３は、外筒３０１と、内筒３２と、外筒３０１と内筒３を連結する周方向に等ピッチで形成される３つの連結部３３からなる回転体本体部３Ａと、回転体本体部３Ａの両端開口に嵌る外形が略円筒形状のキャップ部材８ａ、８ｂを備える。回転体３を二重管構造とすることで、回転体の剛性が高まる。また、連結部３３および連結部３３に対応する外筒３０１には後述するバネ部材４が嵌る嵌合溝３６が形成される。また、キャップ部材８ａ、８ｂを使用することで、回転体本体部３Ａと固定支持軸２との接触を回避でき、摩擦抵抗箇所を減らすことができる。
【００１８】
内筒３２は、固定支持軸２の外径よりやや大の内径を有し、長さは外筒３０１の長さより小となっている。内筒３２の長さを外筒３０１の長さより小とすることで、両端開口部にスペースを確保し、このスペースに固定支持軸２の周溝２１を位置させ、キャップ８ａ、８ｂを収納できるようにしている。
【００１９】
３つの連結部３３は、内筒３２の外周面から外筒３０１に向けて延びる軸方向に長い２つの長尺状の壁部からなる。また、外筒３０１にはこの２つの壁部間に相当する間隔の溝がくり抜かれている。このため、外筒３０１には、周方向に等ピッチ（１２０度間隔）の有底の嵌合溝３１１が形成されることになる。なお、嵌合溝３１１の溝幅は、バネ部材４の厚みより大としてバネ部材４の上下動による接触摩擦が生じないようにしている。また、嵌合溝３１１は反側板側（右側）から所定の長さで、外筒３０１の長さより小のものである。すなわち、嵌合溝３１１は、外筒３０１の一部を切り欠いたものであって、外筒３０１の左端近傍の途中から右端に至る部分溝である。このような嵌合溝３１１とすることで、バネ部材４の反側板側の突起４１２のある先端を回転体本体部３Ａの右端とほぼ一致させることができ、ペーパ８の取り付け位置を定めることができる。また、嵌合溝３１１の底面の両端には、起立状の突起３７、３７が形成され、バネ部材４の撓み過ぎを規制している。また、嵌合溝３１１の反側板側（右側）においては、嵌合溝３１１の突起３７より外側であって、嵌合溝底面よりやや上方よりの位置に、２つの壁部間を連結する係止部３５ｂが形成されている。この係止部３５ｂには、バネ部材４の係止片４３ｂが係止することで、バネ部材４の脱落を防止している。
【００２０】
回転体本体部３Ａの左右両端開口部の構造は異なっている。これは反側板側の開口が、バネ部材４の鉤状の先端の頭が開口スペースに頭出しとなっていること、側板側の開口端には、バネ部材４が位置していないためである。すなわち、回転体本体部３Ａの右側端の開口部は、外筒３０１内であって内筒３２の端より外側は、円柱状のスペースが存在し、バネ部材４が嵌ることで、バネ部材４の先端の鉤状の突起が当該スペース内に位置し、固定支持軸２の先端部が頭出しされることになる。一方、側板１１側の開口端は、外筒３０１の内周面であって、連結部３３に繋がる柱状の突起３４が周方向に等ピッチで３本付設されている。また、突起３４の内側端は、嵌合溝３１１の突起３７より少し外側に止まっており、バネ部材４の係止片４３ａが係止する係止部３５ａを形成している。このように、周方向に等ピッチで形成される突起３４は、キャップ部材８ａ、８ｂの凹部と嵌合する。
【００２１】
回転体３は、ペーパの芯管９１の内径より小の外径（最大径）を有する。これにより、ペーパ９が装着された際、ペーパ９の芯管９１と回転体３との間に隙間が形成され、直接接触が回避されると共に、芯管９１に対するバネ部材４の板バネ付勢による圧接を実現できる。
【００２２】
バネ部材４は、回転体３とは別部材であって、回転体３の嵌合溝３１１の幅より小の例えば５ｍｍ程度の厚みを有するものである。また、バネ部材４は、上端面が芯管９１の内周面に当接する長手方向に所定の長さ延びる板状部４１と、板状部４１の下端から下方に湾曲状に延びる脚部４２ａ、４２ｂとを有する。板状部４１の高さ寸法（径方向に延びる長さ）はバネ部材４が無負荷（ペーパーが装着されない図１のような場合）の状態においても、板状部４１の下方が嵌合溝３１１に隠れた状態とすることが、ペーパ９が装着される際、バネ部材４が嵌合溝３１１に引っ掛かることなく、円滑に動くことができる点で好ましい。
【００２３】
脚部４２ａ、４２ｂは、本例では、板状部４１の長さ方向の略中央からそれぞれ端方向（互いに反対方向）且つやや下方に向けて、やや上に凸となるよう僅かに湾曲した形状のものであり、上から押えられることで、この押圧に対向するバネ力が発現するものである。バネ部材４において、上下方向における最大変形量は５ｍｍ程度が好適である。
【００２４】
バネ部材４の板状部４１の両端上部は面取りがされている。これにより、ペーパ９の芯管９１の内周面を傷つけることがなく、またペーパ９の装着も円滑となる。バネ部材４の側板側の端には、板状部４１の端から下方に僅かに延びその先端が外側に僅かに突出する係止片４３ａが形成されている。係止片４３ａは回転体３の係止部３５ａに係止することで、バネ部材４の上方への飛び出しを防止している。また、バネ部材４の反側板側の途中には、板状部４１の下端から下方に僅かに延びその先端が外側に僅かに突出する係止片４３ｂが形成されている。係止片４３ｂは回転体３の係止部３５ｂに係止することで、バネ部材４の上方への飛び出しを防止している。また、バネ部材４の反側板側の端は、先端から下方に僅かに延びる突起４１３を有している。この突起４１３には、キャップ部材８ｂの凹部が嵌り込む（図３参照）。
【００２５】
キャップ部材８ａ、８ｂは、全体が有底の略円筒状であって、円周方向に等ピッチで３つの凹部８１ａ、８１ｂが形成されている。この凹部８１ａ、８１ｂには、回転体３の突起３４と、バネ部材４の突起４１３がそれぞれ嵌合し、ペーパの巻き出し操作時、キャップ部材８ａ、８ｂと回転体３が一体的に回動するようになっている。また、キャップ部材８ａ、８ｂは、径方向の中心部に、固定支持軸２が貫通する貫通孔８４を有し、また、貫通孔８４の周縁から内側（軸方向の中心方向）に延びる４つの突片８６を有する。突片８６の内周面には円周方向に延びる突条片８７が形成されている。突条片８７が、固定支持軸２の周溝２１に係止することで、固定支持軸２とキャップ部材８ａ、８ｂが軸方向の位置を保持したまま回動自在に係止することになる。キャップ部材８ａ、８ｂ、特に突条片８７を低摩擦材の樹脂とすることで、周溝２１と突条片８７との係止及び回転が極めて円滑となり、ペーパの巻き出しがあっても異音の発生を抑制できる。
【００２６】
ペーパホルダ１０において、ペーパが装着されていない状態は、図１、図３、図９及び図１１に示すように、バネ部材４の上方部材である板状部４１が回転体３より３〜５ｍｍ程度頭出しの状態となっている。頭出し状態のバネ部材４の上端で形成される径（仮想）は、ペーパ９の芯管９１の内径より大である。この状態において、新品のペーパ９を図１中、右側から左側に向けて固定支持軸２に差し込む。この際、ペーパ９の芯管９１は、バネ部材４を押し込むようにして差し込まれる。ペーパ９の装着後の状態を、図２、４、１０、１２及び図１３に示す。この状態において、バネ部材４は芯管９１の内周面をバネ付勢により常時圧接することになる。このため、回転体３とペーパ９は一体化し、回転体３とペーパ９が一体の回転物となる。ペーパ９が巻き出されると、回転体３は固定支持軸２を固定軸として回転する。この際、回転体３と固定支持軸２の係止は、キャップ部材に形成された突条片８７と周溝２１であるため、回転体３が軸方向に振れることなく、摩擦が低減された円滑な回動ができる。このため、ペーパ９の巻き出しによる異音の発生はほとんどなくなる。仮に僅かな異音が発生したとしても、ペーパホルダ１０と壁面に介在する防振材により、異音は吸収される。
【００２７】
ペーパホルダ１０は、上記実施の形態例に限定されず、種々の変形をとることができる。回転体としては、上記の円形断面の円筒に限定されず、四角形断面や不定形断面の筒状体であってもよい。回転体が、四角形断面や不定形断面の筒状体の場合、最大径は、断面形状において中心を通る径方向長さの中の最大のものを言う。回転体が異形断面形状の筒状体であっても、バネ部材はペーパの芯管の内周面を常時圧接するため、回転体の回転軸は安定する。
【００２８】
本発明のペーパホルダにおいて、バネ部材は上記形態例に限定されず、ゴムや樹脂等の弾性部材であってもよい。この場合、弾性部材がペーパの芯管に、該芯管の内周面を常時圧接するように組み込まれたものである。弾性部材としては、外径がペーパの芯管の内径より少し大であって、且つ中心に固定支持軸が嵌る軸孔を有する円筒形状の弾性部材が挙げられる。なお、軸孔の内周面には接着剤を塗布して、固定支持軸に固定すればよい。また、弾性部材がバネ部材の場合、バネ部材と回転体は別部材ではなく、バネ部材と回転体が一体物のものであってもよい。
【００２９】
ペーパホルダ１０において、バネ部材４の設置個数は、上記の３つに限定されず、２つ又は４つ以上であってもよい。この場合、嵌合溝は、設置数に相当した数で形成される。また、バネ部材の形状としては、上記の形状に限定されず、上記の板状部の上面は大きな曲率の弧状であってもよく、また、脚部の形状は、例えば両端部から中央且つやや下方向けて延びる下にやや突状又は上にやや突状のアーチ形状であってもよい。
【００３０】
ペーパホルダ１０において、嵌合溝の形成位置は、上記の位置に限定されず、回転体の中央であってもよい。この場合、回転体の右端における開口部周りの構造は上記の左端における開口部周りの構造と同じとすればよい。
【産業上の利用可能性】
【００３１】
本発明によれば、トイレットペーパを巻き出しする際、その芯管の回転音や巻き出し操作時における異音の発生を抑制できるため、壁伝いで異音が隣人に伝わることがない。このため、夜中でも安心してトイレが使用でき都合がよい。特にお年寄り住まいのマンション、アパート等の集合住宅のトイレ使用において顕著な効果を発揮する。
【符号の説明】
【００３２】
２      固定支持軸
３      回転体
４      バネ部材
５      カッター部材
６      基台
８ａ、８ｂ    キャップ部材
９      トイレットペーパ
１０      ペーパホルダー
１１      側板
９１      芯管
【図１】
0005614799.tif 000002
【図２】
0005614799.tif 000003
【図３】
0005614799.tif 000004
【図４】
0005614799.tif 000005
【図５】
0005614799.tif 000006
【図６】
0005614799.tif 000007
【図７】
0005614799.tif 000008
【図８】
0005614799.tif 000009
【図９】
0005614799.tif 000010
【図１０】
0005614799.tif 000011
【図１１】
0005614799.tif 000012
【図１２】
0005614799.tif 000013
【図１３】
0005614799.tif 000014